(57)【要約】【課題】設置箇所の美観性を損なうことなく、非表示型打掛錠の扉又は扉枠板の内側板面に対する取り付けを実現する。【解決手段】錠本体Ｌ側の取付ベース部材１０およびレバー組立体２０と、レバー受け３０のみからなり、扉Ｄの施解錠状態を外部に表示する表示器を備えない、非表示型打掛錠を構成する。レバー組立体は、基端部側に枢着部２５を設け、反対の先端部側を、扉Ｄの閉止時にレバー受けに掛けて施錠する回動レバー２１と、枢着部において軸と穴の嵌め合いで回動レバーを回動自在に連結した支持カバー２２とで構成し、支持カバーを、取付ベース部材に重ねて着脱自在に冠着してなる。【選択図】          図１
2007327236.tif 000002
【特許請求の範囲】
【請求項１】
扉が閉止状態のとき該扉又は扉枠板の内側に面する板面端部に止め具で固着する取付ベース部材と該取付ベース部材に連結するレバー組立体とで構成する錠本体と、該錠本体の真横で前記扉又は前記扉枠板の板面端部に固着するレバー受けのみからなり、前記扉の施解錠状態を外部に表示する表示器を備えない非表示型打掛錠であって、
前記レバー組立体は、
基端部側に枢着部を設け、反対の先端部側を、前記扉の閉止時に前記レバー受けに掛けて施錠する回動レバーと、前記枢着部において軸と穴の嵌め合いで前記回動レバーを回動自在に連結した支持カバーとで構成し、該支持カバーを、前記取付ベース部材に重ねて着脱自在に冠着してなることを特徴とする、非表示型打掛錠。
【請求項２】
前記取付ベース部材に前記止め具が挿通する取付穴を備え、該取付穴は、前記止め具を挿通させて前記取付ベース部材を前記板面端部に固着したとき、前記止め具との間に、取付位置を調整可能な隙間のあく大きさの取付位置調整穴で形成してなることを特徴とする、請求項１に記載の非表示型打掛錠。
【発明の詳細な説明】
【技術分野】
【０００１】
本発明は、ラバトリーブースのトイレ用扉などに用いられ、扉の内側から回動レバーを回動し、そのレバー受けに対し係脱させて扉を施解錠する打掛錠であって、特に扉の施解錠状態を外部に表示する表示器を備えない、非表示型打掛錠に関する。
【背景技術】
【０００２】
従来、例えばラバトリーブースのトイレ用扉に付設する打掛錠は、扉又は扉枠板の内側の板面端部に、ロック用の回動レバー部材を配設する一方、外側の板面端部には、扉の施解錠状態を外部に表示する表示器を配設し、これら回動レバー部材と表示器とを、間に扉又は扉枠板を挟んで呼込み部のスタッドとボルトの捩じ込みで締着して組み付けた、表示型であるのが一般である。（特許文献１、２参照）。
【０００３】
ところで、ホテル等のラバトリーブースに備えたトイレ用の扉体は、美観上の強い要請から、たとえば図１２に示すように、それぞれパネル状の扉１とその間の扉枠板２を直列に組み付けて、全体を面一に配設したパネル構造体３で形成されている。しかし、表示器付きの表示型打掛錠では、パネル構造体３の外側に、その板面から表示器４…が幾つも突出し、この出っ張りが目だって見栄えが悪く、美的外観の重視されるラバトリーブース等では好ましくないという問題があった。
【０００４】
そこで、最近、ラバトリーブース等に設置する扉には、たとえば周知のグレビティヒンジを用い、扉の内側から、回動レバー部材のレバー受けに対する掛け止めを外して解錠すると、自動的に扉が開方向へ回動して開状態が保持される構造とし、これにより、外側から一見して扉の施解錠状態が判るようにする一方、打掛錠として、美観を損なう原因となる表示器を備えない非表示型のものが提案されている。
【特許文献１】特開２００２−２５６７５１号公報
【特許文献２】特開２００３−１０６０１４号公報
【発明の開示】
【発明が解決しようとする課題】
【０００５】
ところで、従来、そのような非表示型打掛錠では、扉又は扉枠板の内側の板面端部に取り付けようとする場合に、たとえば図１３に示すように、打掛錠５の回動レバー５ａを装着した取付ベース５ｂにおいて、例えば止めねじ６で扉枠板の板面端部に固着することになると考えられる。しかし、これでは、打掛錠５から、醜いねじ止め箇所が外部に露出し、それだけ美観上の見栄えが悪く、特に美観性を重視するラバトリーブース等では極めて望ましくないという課題があった。
【０００６】
そこで、本発明の目的は、設置箇所の美観性を損なうことなく、表示器を備えない非表示型打掛錠の扉又は扉枠板の内側板面に対する取り付けを実現することにある。
【０００７】
そこで、上記目的を達成すべく、請求項１に記載の発明は、たとえば以下に示す図示実施の形態のとおり、扉Ｄが閉止状態のとき該扉Ｄ又は扉枠板Ｐの内側に面する板面端部に止め具４５で固着する取付ベース部材１０と該取付ベース部材１０に連結するレバー組立体２０とで構成する錠本体Ｌと、該錠本体Ｌの真横で前記扉Ｄ又は前記扉枠板Ｐの板面端部に固着するレバー受け３０のみからなり、前記扉Ｄの施解錠状態を外部に表示する表示器を備えない非表示型打掛錠であって、前記レバー組立体２０は、基端部側に枢着部２５を設け、反対の先端部側を、前記扉Ｄの閉止時に前記レバー受け３０に掛けて施錠する回動レバー２１と、前記枢着部２５において軸と穴の嵌め合いで前記回動レバー２１を回動自在に連結した支持カバー２２とで構成し、該支持カバー２２を、前記取付ベース部材１０に重ねて着脱自在に冠着してなることを特徴とする。
【０００８】
請求項２に記載の発明は、請求項１に記載の非表示型打掛錠において、たとえば以下に示す図示実施の形態のとおり、前記取付ベース部材１０に前記止め具４５が挿通する取付穴１４を備え、該取付穴１４は、前記止め具４５を挿通させて前記取付ベース部材１０を前記板面端部に固着したとき、前記止め具４５との間に、取付位置を調整可能な隙間のあく大きさの取付位置調整穴で形成してなることを特徴とする。
【発明の効果】
【０００９】
請求項１に記載の発明によれば、回動レバーを回動自在に支持カバーに連結して一体なレバー組立体を形成した上で、支持カバーを、止め具で扉又は扉枠板の内側板面に固着する取付ベース部材に重ねて着脱自在に冠着し、これにより、醜いねじ止め等の止め箇所を外部に露出させないで、即ち、設置箇所の美観性を損なうことなく、非表示型打掛錠の扉又は扉枠板の内側板面に対する取り付けを実現させることができる。しかも、取付ベース部材に対する支持カバーの冠着を外すだけで、レバー組立体を取付ベース部材から容易に取り外すことができ、その結果、回動レバーが適確にレバー受けに掛かるように錠本体側の取付位置を調整するときは、レバー組立体を取付ベース部材から取り外してから、その取付ベース部材のみを位置ズレ高さ分だけずらして付け直せばよく、それだけ簡略に錠本体側の取付高さ位置を調節することができる。
【００１０】
請求項２に記載の発明によれば、回動レバーが適確にレバー受けに掛かるように錠本体側の取付位置を調整するときは、取付ベース部材に対する支持カバーの冠着を外してレバー組立体を取付ベース部材から取り外し、止め具のねじ込み等を緩めてから、取付ベース部材をそのまま取付穴の案内で位置ズレ高さだけずらせばよく、それだけ一層簡略且つ正確に錠本体側の取付高さ位置を調節することができる。
【発明を実施するための最良の形態】
【００１１】
以下、図面を参照しつつ、本発明の最良の実施形態について説明する。
【００１２】
図１は、本発明の一例である非表示型打掛錠の取付状態を示す横断面図、図２は、非表示型打掛錠の取付状態を先端側から見て示す端面図、図３は、その非表示型打掛錠の分解斜視図である。図示打掛錠は、その錠本体Ｌを構成する取付ベース部材１０およびレバー組立体２０と、レバー組立体２０に備えた後述の回動レバー２１を掛けるレバー受け３０のみからなり、扉Ｄの施解錠状態を外部に表示する表示器を備えない非表示型である。
【００１３】
取付ベース部材１０は、たとえば金属製で、中心に軸挿通穴１１を設ける一方、外周縁に円周リブ１２を設けた円形リング状で浅底なキャップ型に成形し、軸挿通穴１１と円周リブ１２間の平板部１３に複数の取付穴１４…を穿設してなる。この取付ベース部材１０において、円周リブ１２には、その外周面に雄ねじ１２ａを周方向に沿って螺設している。取付穴１４…は、後述する通り、木ねじの止め具４５を挿通させて取付ベース部材１０を板面端部に固着すると、止め具４５との間に、取付位置を調整可能な隙間のあく大きさで長穴状の取付位置調整穴で形成してなる。
【００１４】
レバー組立体２０は、回動レバー２１と、回動レバー２１の支持カバー２２とで構成してなる。回動レバー２１は、棒状の樹脂製レバー本体２３と、Ｌ状の金属製枢軸２４とからなり、該枢軸２４の長軸部２４ａをレバー本体２３にインサート成形によって埋設させて一体化し、短軸部２４ｂをレバー本体２３の基端部側から突出させて、支持カバー２２の後述する筒穴２９とで枢着部２５を形成してなる。レバー本体２３は、その先端部に、レバー受け３０に対して係脱させる係合凹部２６を設けると共に、係合凹部２６と直交する厚さ方向に矩形な横穴１５を凹設し、その横穴１５に例えばゴム製の弾性体１６を嵌め込んでなる。
【００１５】
一方、支持カバー２２は、たとえば樹脂製で、円形のカバー部２７と、カバー部２７の中心から一側に突出する円筒部２８とに一体成形し、中心には、カバー部２７と円筒部２８を貫通する筒穴２９を穿設してなる。カバー部２７は、その外周縁に円周リブ３１を環状に立ち上げて浅底な円形キャップ状に形成し、円周リブ３１の内周面に、取付ベース部材１０の雄ねじ１２ａに対応させて、雌ねじ３１ａを周方向に沿って螺設してなる。円筒部２８は、筒穴２９の両端側を一段拡径にあけて段付きに形成している。そこで、支持カバー２２は、筒穴２９の段付き両端にそれぞれベアリング３２・３２を内設し、該筒穴２９に、回動レバー２１の短軸部２４ｂをベアリング３２・３２を介して挿通する。そして、短軸部２４ｂの突端に止め輪３４を嵌め付けて抜け止めし、回動レバー２１を回動可能に支持カバー２２に連結し、レバー組立体２０として一体的に組み立ててなる。
【００１６】
なお、図示例のレバー受け３０は、たとえば金属板を用い、その一端側をコ状に曲げて成形して屈曲部分の先端に係止部３０ａを形成してなる。
【００１７】
そこで、以上の非表示型打掛錠を、例えばラバトリーブース内に設置したトイレ用扉のパネル構造体に組み付ける場合は、扉Ｄが閉止状態のとき、扉Ｄの内側に面する板面の端部４０に、係止部３０ａを上向きにしてレバー受け３０を皿ねじ４１で固着する。一方、扉枠板Ｐの内側には、レバー受け３０を固着した扉Ｄ寄りの板面端部４２に、錠本体Ｌ側の取付ベース部材１０を、レバー受け３０の取付高さに合わせて取り付ける。取付ベース部材１０は、中心の軸挿通穴１１を、真横のレバー受け３０の取付高さ位置に合わせながら、取付穴１４を縦向き状態にしてから、それら取付穴１４に木ねじの止め具４５を通して平板部１３を扉Ｄの板面端部４２に固着する。それから、この板面端部４２に予め穿設された取付用凹部内に、レバー組立体２０の円筒部２８を、取付ベース部材１０の挿通穴１１を通して嵌入すると共に、支持カバー２２のカバー部２７を、取付ベース部材１０の円周リブ１２に被せてから、支持カバー２２を、取付ベース部材１０に対し一方向へ回してカバー部２７の雌ねじ３１ａを取付ベース部材１０の雄ねじ１２ａに螺合し、これにより、支持カバー２２を取付ベース部材１０に重ねて着脱自在に冠着する。
【００１８】
そして、非表示型打掛錠の使用時は、扉を閉止したとき、そのまま内側から回動レバー２１を回動し、図４に示すように、先端の係合凹部２６をレバー受け３０の係止部３０ａに掛けて扉Ｄを内側から施錠する。このとき、回動レバー２１は、先端部が弾性体１６を介してレバー受け３０の係止部３０ａに当たって緩衝し、衝撃音の発生を防止している。一方、扉Ｄを開けるときは、逆向きに回動レバー２１を回動し、係合凹部２６をレバー受け３０の係止部３０ａから外して解錠する。一方、図示例では、扉Ｄのヒンジ部は周知のグレビティヒンジ構造とし、回動レバー２１のレバー受け３０に対する掛け止めを外して解錠すると、自動的に扉Ｄが開方向へ回動し、所定開き角度の開状態に保持され、これにより、外側から一見して扉Ｄの施解錠状態が判るようにしている。
【００１９】
ところで、図示非表示型打掛錠では、取付ベース部材１０がレバー受け３０に対し取付高さ位置がずれて扉枠板Ｐに固着されると、図５に示すように、施錠時に、回動レバー２１が傾いてレバー受け３０に掛かり、その係止部３０ａに係合凹部２６が確実に係合せず外れ易い状態になる。そこで、図示打掛錠では、回動レバー２１が水平にレバー受け３０に掛かるように取付高さ位置を調整する場合は、支持カバー２２を取付ベース部材１０に対し他方向に回し、互いのねじの螺合を解いてレバー組立体２０を取付ベース部材１０から、いったん取り外す。それから、止め具４５のねじ込みを緩めてから、取付ベース部材１０を取付穴１４の案内で上記位置ズレ高さだけずらし、中心の軸挿通穴１１がレバー受け３０の取付高さ位置に正確に一致するように調整する。この位置合わせ後、改めて止め具４５をねじ込んで取付ベース部材１０を扉枠板Ｐに固着し、上述したと同様に支持カバー２２のカバー部２７を取付ベース部材１０に螺合させて、支持カバー２２を取付ベース部材１０に冠着する。
【００２０】
さて、上述した本発明の非表示型打掛錠では、レバー組立体２０は、支持カバー２２を取付ベース部材１０に互いのねじ部で螺合することにより重ねて着脱自在に冠着した構造であった。しかし、本発明では、レバー組立体２０の支持カバー２２を、以下の図示他例に示すように取付ベース部材１０に重ねて着脱自在に冠着する構造にすることもできる。
【００２１】
図６は、本発明の他例である非表示型打掛錠の分解斜視図、図７は、その非表示型打掛錠の取付状態を示す横断面図、図８は正面図である。図示他例の非表示型打掛錠に備える取付ベース部材１０は、円形リング状の平板部１３の周縁に、４片の連結リブ４６〜４９を周方向に互いに９０度の間隔をあけて立設し、そのうち３片の連結リブ４６〜４８に外向きに位置決め突起５０を突設する一方、他の１片の連結リブ４９には雌ねじ穴５１を螺設してなる。
【００２２】
一方、レバー組立体２０側の支持カバー２２は、上述したと同様に円形キャップ状のカバー部２７と、円筒部２８とで形成されるが、カバー部２７に有した円周リブ３１の内周面に、周方向に環状の逃げ溝５２を凹設すると共に、逃げ溝５２と交差する縦溝の係合溝５３ａ〜５３ｄを、取付ベース部材１０側の連結リブ４６〜４９に対応させて、周方向に互いに９０度の間隔をあけて凹設している。更に、支持カバー２２の円周リブ３１には、１つの係合溝５３ａから、図６（Ａ）中時計方向に４５度離れた位置で貫通するねじ挿通穴５４を穿設してなる。
【００２３】
そこで、図示他例では、レバー組立体２０を、固定側の取付ベース部材１０に連結するときは、図９に示すように、それぞれ突起５０を有した３片の連結リブ４６〜４８を、係合溝５３ａ〜５３ｃに位置合わせすると共に、雌ねじ穴５１を有した１片の連結リブ４９を、ねじ挿通穴５４が図中反時計方向側に隣接した嵌合溝５３ｄに位置合わせしてから、３つの位置決め突起５０をそれぞれ係合溝５３ａ〜５３ｃに係合して支持カバー２２を取付ベース部材１０に被せる。それから、レバー組立体２０の支持カバー２２を取付ベース部材１０に対し、図１０中矢示するように、反時計方向へ４５度回動する。そして、位置決め突起５０を逃げ溝５２に係合させて逃がしながら、図１１に示すように、雌ねじ穴５１にねじ挿通穴５４を一致させてから、ねじ挿通穴５４に止めねじ５５を通して雌ねじ穴５１に螺合し、図８に示すように、支持カバー２２を取付ベース部材１０に重ねて着脱自在に冠着する。
【００２４】
ところで、打掛錠では、悪戯な使用者が、例えば上記のような回動レバー２１をレバー受け３０に対して垂直な起立状態にしてから、そのまま扉を閉めて、その衝撃で起立状態の回動レバー２１を外側から倒してレバー受け３０に掛けて施錠する、悪戯が行われることがある。そこで、図示他例の非表示型打掛錠では、そのような悪戯を防止する、以下のような悪戯防止機構が付設されている。
【００２５】
即ち、図示他例の非表示型打掛錠では、レバー組立体２０の回動レバー２１には、図６に示すように、レバー本体２３の基端部に円形凹部５９を凹設し、その円形凹部５９に円盤状の第１の磁石６０を嵌着する一方、支持カバー２２には、カバー部２７のねじ挿通穴５４の横に円形凹部６１を凹設し、その円形凹部６１に同じ円盤状で第１の磁石６０と極性を異にする第２の磁石６２を嵌着する。そして、施錠時、図８に示すように、回動レバー２１がレバー受け３０の係止部３０ａに掛かった水平状態にあるとき、両磁石６０・６２は、回動レバー２１の回動方向に互いに９０度離れた位置に配置される構成になっている。従って、他例の打掛錠では、解錠時、回動レバー２１をレバー受け３０から外し、図８中反時計方向へ９０度回動すると、その時点で、両磁石６０・６２が向かい合って吸着し、回動レバー２１を、図中鎖線で示すように垂直に起立した解錠位置に磁気的に保持する。よって、そのような悪戯防止機構を備える図示他例の打掛錠では、たとえ上記したような悪戯をしようとしても、扉Ｄを閉める衝撃などによっては、起立状態の回動レバー２１は簡単には倒れることがなく、そのような悪戯を抑止することができる。
【００２６】
なお、上記図示他例では、悪戯防止機構の第１および第２の磁石６０・６２として、互いに極性を異にする磁石を用いたが、極性の同じ磁石を用いて構成してもよい。その場合は、解錠時、回動レバー２１をレバー受け３０から外して９０度回動すると、その時点で、向かい合う両磁石６０・６２が反発し合うため、その反発力で回動レバー２１が強制的に時計又は反時計方向へ回動して倒れ、常に垂直な起立する状態にならない構成にして悪戯を抑止する。
【図面の簡単な説明】
【００２７】
【図１】本発明の一例の非表示型打掛錠を取付状態において示す横断面図である。
【図２】取付状態の非表示型打掛錠を先端側から見て示す端面図である。
【図３】非表示型打掛錠の分解斜視図である。
【図４】非表示型打掛錠の施錠状態を示す斜視図である。
【図５】非表示型打掛錠の施錠時に回動レバーが傾いてレバー受けに引っ掛かった状態を示す斜視図である。
【図６】本発明の他例である非表示型打掛錠の分解斜視図である。
【図７】他例の非表示型打掛錠を取付状態において示す横断面図である。
【図８】他例の非表示型打掛錠を示す正面図である。
【図９】他例の非表示型打掛錠の取り付けにおいて、取付ベース部材にレバー組立体の支持カバーを位置合わせして被せる段階を説明する斜視図である。
【図１０】取付ベース部材に支持カバーを嵌め合わせた段階を説明する平面図である。
【図１１】取付ベース部材に支持カバーを止めねじで取り付ける段階を説明する斜視図である。
【図１２】従来の表示型打掛錠を付設したパネル構造体を示す斜視図である。
【図１３】従来の非表示型打掛錠の取付状態を示す参考正面図である。
【符号の説明】
【００２８】
Ｄ            扉
Ｌ            錠本体
Ｐ            扉枠板
１０          取付ベース部材
１４          取付穴
２０          レバー組立体
２１          回動レバー
２２          支持カバー
２５          枢着部
３０          レバー受け
４５          止め具
【図１】
2007327236.tif 000003
【図２】
2007327236.tif 000004
【図３】
2007327236.tif 000005
【図４】
2007327236.tif 000006
【図５】
2007327236.tif 000007
【図６】
2007327236.tif 000008
【図７】
2007327236.tif 000009
【図８】
2007327236.tif 000010
【図９】
2007327236.tif 000011
【図１０】
2007327236.tif 000012
【図１１】
2007327236.tif 000013
【図１２】
2007327236.tif 000014
【図１３】
2007327236.tif 000015